(57)【特許請求の範囲】
【請求項１】
希ガスを封入した円筒形状のガス封入管と、このガス封入管の両端部に設けられた一対の電極とを有するランプと、
このランプのまわりに、当該ランプの長手方向略全長に亘って設けられた蓄熱手段とを備え、
この蓄熱手段は、ランプのまわりに密着させて設けられたシリコーンゴムと、このシリコーンゴムを包囲するようにその外周面に密着させて設けられていてランプの保護部材としての役割も果たす断面Ｃ字形状の蓄熱金属板とを備えていることを特徴とするランプユニット。
【請求項２】
希ガスを封入した円筒形状のガス封入管と、このガス封入管の両端部に設けられた一対の電極とを有するランプと、
このランプのまわりに、当該ランプの長手方向略全長に亘って当該ランプに密着させて設けられる蓄熱部材としてのシリコーンゴム製の蓄熱シートと、
この蓄熱シートの外周表面に密着させて前記ランプの長手方向略全長に亘って設けられる、蓄熱部材およびランプの保護部材としての断面Ｃ字形状の蓄熱金属板とを備え、
前記蓄熱シートおよび蓄熱金属板は、締結ベルトによって前記ランプに取り付けられていることを特徴とするランプユニット。
【請求項３】
希ガスを封入した円筒形状のガス封入管と、このガス封入管の外周表面に設けられていて互いに対向した状態でガス封入管の長手方向に延びる一対の電極とを有するランプと、
このランプを包囲する電気絶縁性の被覆管と、
この被覆管の外周表面に密着させて当該被覆管の長手方向略全長に亘って設けられる蓄熱部材としてのシリコーンゴム製の蓄熱シートと、
この蓄熱シートの外周表面に密着させて前記被覆管の長手方向略全長に亘って設けられる、蓄熱部材およびランプの保護部材としての断面Ｃ字形状の蓄熱金属板とを備え、
前記蓄熱シートおよび蓄熱金属板は、締結ベルトによって前記被覆管に取り付けられていることを特徴とするランプユニット。
【請求項４】
請求項２または３に記載のランプユニットにおいて、前記蓄熱金属板には、締結ベルトが巻き付けられる部位に部分的に切欠部が形成されていることを特徴とするランプユニット。
【請求項５】
請求項１から４のうちのいずれか１つに記載のランプユニットにおいて、前記蓄熱手段または蓄熱部材はランプの長手方向ほぼ全域にわたって断面Ｃ字形に設けられており、これによってランプの照射範囲が規定されていることを特徴とするランプユニット。
【請求項６】
請求項１から５のうちのいずれか１つに記載のランプユニットは、そのランプの少なくとも一端部を保持するランプホルダを備えており、そのランプホルダには、前記蓄熱手段または蓄熱部材の取付位置を決める位置決め部が設けられていることを特徴とするランプユニット。
【請求項７】
原稿を照射するための光を発生する光源と、原稿からの光像を受け取って電気信号として出力するイメージセンサとを有する画像読み取り装置において、
光源が、上記請求項１から６のうちいずれか１つに記載のランプユニットで構成されていることを特徴とする画像読み取り装置。
【発明の詳細な説明】
【０００１】
【発明の属する技術分野】
本発明は、イメージスキャナなどと呼ばれる画像読み取り装置に好適に用いられるランプユニット及びそのランプユニットを用いた画像読み取り装置に関する。
【０００２】
【従来の技術】
画像読み取り装置では、一般に、原稿の幅方向に円筒形状のランプを配設し、そのランプから発生する光を原稿に照射する。そして、原稿で反射した光又は原稿を透過した光をＣＣＤイメージセンサなどといったイメージセンサによって読み取る。
【０００３】
画像読み取り装置その他各種の装置に用いられるランプとしては、従来より、種々の構成のものが知られている。
【０００４】
例えば、図１６に示すように、ガスを封入したガス封入管５１の両端に熱陰極として作用する一対の電極５２ａ及び５２ｂを配設した、いわゆる両端電極型の熱陰極管が知られている。符号５３はガス封入管５１の内周面に塗布された蛍光物質を示している。熱陰極というのは、周知の通り、通電によって発熱して熱電子を放出する電極のことである。
【０００５】
また、図１７に示すように、ガス封入管５１の両端に冷陰極として作用する一対の電極５４ａ及び５４ｂを配設した、いわゆる両端電極型の冷陰極管も知られている。冷陰極というのは、周知の通り、強い電界が印加されたときに電子を放出する電極のことである。
【０００６】
さらに、図１８に示すように、ガス封入管５１の外周面の長手方向のほぼ全域にわたって長さの長い一対の電極５５ａ及び５５ｂを互いに対向して配置した、いわゆる外面電極型の陰極管も知られている。
【０００７】
上記の各種ランプにおいてガス封入管５１の中には、用途に応じて、ネオン（Ｎｅ）ガス、キセノン（Ｘｅ）ガスなどといった希ガス、あるいは水銀（Ｈｇ）ガスなどが充填される。例えば、水銀ガスを用いたランプとキセノンガスを用いたランプとに関して、環境温度を変化させたときの発光光量の変動の様子を調べると、図１１に示すような結果が得られる。この結果から明らかなように、キセノンガスを用いたランプは水銀ガスを用いたランプに比べて環境温度変化に対する光量安定性が格段に優れている。よって、画像読み取り装置のランプにはキセノンガスが広く用いられている。また、ネオンガスも光量安定性に優れているので、これも画像読み取り装置のランプに広く用いられている。
【０００８】
ところで、ランプから発せられる光の光量の経時的な変化を観察すると、図１２に示すような結果が得られる。同図に示すグラフでは、Ｘ軸に光量変動率をとり、Ｙ軸に時間をとり、そしてＺ軸にランプ５６の軸線方向すなわち主走査方向をとっている。今、ランプ５６の点灯直後の光量が符号Ａで示すようにその軸線方向すなわち長手方向で一様に１００％であるとする。点灯後に適宜の時間ｔが経過すると、符号Ｂ１で示すようにランプ５６の全体の光量が低下すると共に、その長手方向に関して中央部が両端部に比べてより多く光量が低下する。本明細書では、点灯直後の光量１００％を基準としたときのＸ軸方向の光量の変化δ１を光量変動率と呼ぶ。また、ある任意の時点での１つの光量分布線を見たとき、その光量分布線のうちの最大光量変動率（通常は中央部分）と最少光量変動率（通常は両端部分）との差δ２を光量変動率差と呼ぶ。
【０００９】
例えば、図１６から図１８に挙げた３種類のランプ、すなわち、外面電極型陰極管（図１８）、両端電極型熱陰極管（図１６）及び両端電極型冷陰極管（図１７）を比較すると、発光光量に関しては、外面電極型陰極管（図１８）が最も多く、その次が両端電極型熱陰極管（図１６）であり、両端電極型冷陰極管（図１７）が最も少ない。すなわち、発光光量に関しては、
外面電極型陰極管（図１８）＞両端電極型熱陰極管（図１６）＞両端電極型冷陰極管（図１７）
である。具体的には、外面電極型陰極管（図１８）は両端電極型冷陰極管（図１７）の発光光量の約３倍の発光光量を有する。
【００１０】
他方、両端電極型熱陰極管（図１６）及び両端電極型冷陰極管（図１７）は、光量変動率δ１及び光量変動率差δ２の両方とも比較的小さい。これに対し、外面電極型陰極管（図１８）は、光量変動率δ１及び光量変動率差δ２の両方ともかなり大きい。
【００１１】
両端電極型熱陰極管（図１６）や両端電極型冷陰極管（図１７）は、上記の通り、光量変動率δ１及び光量変動率差δ２が小さいので、それらを通常の画像読み取り装置に用いた場合には、光量変動の観点からは実用上問題はない。しかしながらそれらのランプは、発光光量それ自体が少ないので、鮮明な読み取り画像が得られないことがある。また、光量変動が少なくて実用上問題がないといっても、それは通常の画像読み取り装置に関していえることであって、出版用途におけるフィルム読み取りの場合のように高品質の画像入力装置用のランプとしてそれらを用いると、やはり光量変動に起因して読み取り結果の再現性が低下する。
【００１２】
外面電極型陰極管（図１８）は発光光量が大きいので、鮮明な画像を読み取ることに関しては好適である。しかしながらこのランプは、光量変動率δ１及び光量変動率差δ２がかなり大きいので、これを画像読み取り装置のランプとして用いると、経時的な光量変動に起因して読み取り画像の特性が劣化する。具体的には、原稿の読み始めと読み終わりとの間で光量が大きく変動し、再生された画像がだんだん暗くなり、特に中央部が暗くなるという問題が発生する。
【００１３】
したがって、このような問題を解決する一方策として、ランプにおける上記光量変動率δ１及び光量変動率差δ２の低減を図ることが望まれている。
【００１４】
一方、特開平７−１２３２１４号公報には、図１９、図２０に示すように、保温材９３を蛍光ランプ９２に密着させて取り付けることにより、発光時に蛍光ランプ９２自体が発生する熱を保持することによって保温し、点灯立ち上がり特性を向上させ、また、照度をフォトセンサ９８で検知して蛍光ランプ９２を適切な光量に制御する画像入力装置が開示されている。なお、９１は原稿読み取り背景板、９４はミラー、９５はスリット、９６はレンズ、９７はＣＣＤイメージセンサ、９９は矢印方向に移送される原稿である。
【００１５】
【発明が解決しようとする課題】
上述した特開平７−１２３２１４号公報記載の従来技術は、ランプの点灯立ち上がり特性を向上させることを目的としており、同公報においては、保温材９３の材質や取付構造について何等開示されていない。
【００１６】
したがって、この従来技術によっては、前述した問題を良好に解決することは困難であった。すなわち、各種形式のランプにおいて、光量変動率δ１及び光量変動率差δ２の両方を良好に小さくすることは困難であった。特に、外面電極型陰極管（図１８）は、その外周面に電極が露出しているから、上記従来技術によって光量変動率δ１及び光量変動率差δ２の両方を良好に小さくすることは極めて困難であった。
【００１７】
本願発明者は、このような課題を解決すべく、前述した、ランプにおける光量変動率δ１及び光量変動率差δ２の発生原因について研究した結果、所定時間内のランプの管壁温度の変化量とその時間内のランプの光量変動率との間には密接な関係があり、管壁温度の変化量が大きくなると光量変動率が大きくなることを知見した。
【００１８】
本発明は、このような知見に基づいてなされたものであって、その主たる目的は、各種形式のランプに関して、光量変動率δ１及び光量変動率差δ２の両方を良好に小さくすること並びに、特に、外面電極型陰極管（図１８）に関しても良好に光量変動率δ１及び光量変動率差δ２の両方を小さくすることにある。
【００１９】
【課題を解決するための手段】
上記の目的を達成するために請求項１記載のランプユニットは、希ガスを封入した円筒形状のガス封入管と、このガス封入管の両端部に設けられた一対の電極とを有するランプと、
このランプのまわりに、当該ランプの長手方向略全長に亘って設けられた蓄熱手段とを備え、
この蓄熱手段は、ランプのまわりに密着させて設けられたシリコーンゴムと、このシリコーンゴムを包囲するようにその外周面に密着させて設けられていてランプの保護部材としての役割も果たす断面Ｃ字形状の蓄熱金属板とを備えていることを特徴とする。
【００２０】
請求項２記載のランプユニットは、希ガスを封入した円筒形状のガス封入管と、このガス封入管の両端部に設けられた一対の電極とを有するランプと、
このランプのまわりに、当該ランプの長手方向略全長に亘って当該ランプに密着させて設けられる蓄熱部材としてのシリコーンゴム製の蓄熱シートと、
この蓄熱シートの外周表面に密着させて前記ランプの長手方向略全長に亘って設けられる、蓄熱部材およびランプの保護部材としての断面Ｃ字形状の蓄熱金属板とを備え、
前記蓄熱シートおよび蓄熱金属板は、締結ベルトによって前記ランプに取り付けられていることを特徴とする。
【００３１】
請求項３記載のランプユニットは、希ガスを封入した円筒形状のガス封入管と、このガス封入管の外周表面に設けられていて互いに対向した状態でガス封入管の長手方向に延びる一対の電極とを有するランプと、
このランプを包囲する電気絶縁性の被覆管と、
この被覆管の外周表面に密着させて当該被覆管の長手方向略全長に亘って設けられる蓄熱部材としてのシリコーンゴム製の蓄熱シートと、
この蓄熱シートの外周表面に密着させて前記被覆管の長手方向略全長に亘って設けられる、蓄熱部材およびランプの保護部材としての断面Ｃ字形状の蓄熱金属板とを備え、
前記蓄熱シートおよび蓄熱金属板は、締結ベルトによって前記被覆管に取り付けられていることを特徴とする。
【００３３】
請求項４記載のランプユニットは、請求項２または３に記載のランプユニットにおいて、前記蓄熱金属板には、締結ベルトが巻き付けられる部位に部分的に切欠部が形成されていることを特徴とする。
【００３４】
請求項５記載のランプユニットは、請求項１から４のうちのいずれか１つに記載のランプユニットにおいて、前記蓄熱手段または蓄熱部材はランプの長手方向ほぼ全域にわたって断面Ｃ字形に設けられており、これによってランプの照射範囲が規定されていることを特徴とする。
【００３６】
請求項６記載のランプユニットは、請求項１から５のうちのいずれか１つに記載のランプユニットにおいて、そのランプの少なくとも一端部を保持するランプホルダを備えており、そのランプホルダには、前記蓄熱手段または蓄熱部材の取付位置を決める位置決め部が設けられていることを特徴とする。
【００３９】
請求項７記載の画像読み取り装置は、原稿を照射するための光を発生する光源と、原稿からの光像を受け取って電気信号として出力するイメージセンサとを有する画像読み取り装置において、光源が、上記請求項１から６のうちいずれか１つに記載のランプユニットで構成されていることを特徴とする。
【００４３】
なお、上の記載において、
「蓄熱手段（または蓄熱部材）をランプのまわりに設ける」というのは、蓄熱手段をランプの外周表面又は内周表面に直接固着する場合や、何等かの部材を介在させた状態でランプの近くに蓄熱手段を配置する場合などを含むことを意味する。
【００４４】
蓄熱手段というのは、ランプの熱を奪い取ってその熱を自分自身の内部に蓄積できる性質を有する物質のことである。換言すれば、点灯直後のランプの温度上昇率を低減でき、しかも放熱によってランプを冷却するのに要する時間を長くすることができる物質のことである。
【００４５】
【作用効果】
請求項１記載のランプユニットによれば、ガスを封入した円筒形状のガス封入管と、このガス封入管の両端部に設けられた一対の電極とを有するランプ（図１６、図１７に示したような両端電極型ランプ）のまわりに、当該ランプの長手方向略全長に亘って蓄熱手段が設けられているので、この蓄熱手段によってランプの熱が奪い取られ、その熱が蓄熱手段の内部に蓄積される。
【００４６】
したがって、点灯後のランプの温度上昇率が低減され、結果として、光量変動率δ１および光量変動率差δ２が両方とも小さくなる。前述したように、ランプの管壁温度が上昇すると光量変動率が大きくなる、逆にいえば、ランプの管壁温度が抑制されれば光量変動率も抑制されるからである。
【００４７】
そして、この請求項１記載のランプユニットによれば、その蓄熱手段が、ランプのまわりに設けられたシリコーンゴムと、このシリコーンゴムを包囲するようにその外周面に接触して設けられた金属部材とを備えているので、さらに次のような作用効果が得られる。
【００４８】
すなわち、シリコーンゴムは、熱伝導性および密着性（表面が活性であって、あらゆる物質にくい込む性質）に優れている一方、金属部材は蓄熱性に優れているので、ランプの熱はシリコーンゴムを通じて良好に金属部材に伝わり、金属部材に蓄熱される。しかも、シリコーンゴム自体も蓄熱性を有しているのでランプの熱はシリコーンゴムにも蓄熱されることとなる。
【００４９】
したがって、この請求項１記載のランプユニットによれば、点灯後のランプの温度上昇率を効果的に低減し、光量変動率δ１および光量変動率差δ２を良好に小さくすることができる。しかも、金属部材はランプの保護部材としての役割も果たし得る。
【００５０】
請求項２記載のランプユニットは、ガスを封入した円筒形状のガス封入管と、このガス封入管の両端部に設けられた一対の電極とを有するランプと、このランプのまわりに、当該ランプの長手方向略全長に亘って設けられる蓄熱部材としてのシリコーンゴム製の蓄熱シートと、この蓄熱シートの外周表面に接触して前記ランプの長手方向略全長に亘って設けられる、蓄熱部材としての断面Ｃ字形状の蓄熱金属板とを備え、前記蓄熱シートおよび蓄熱金属板は、締結ベルトによって前記ランプに取り付けられている構成であるから、上述した請求項１記載のランプユニットを容易に作成することができる。
【００５１】
すなわち、ランプに蓄熱シートと蓄熱金属板とを当てがい、締結ベルトで締め付けるだけで作成することができる。しかも、蓄熱金属板は断面Ｃ字形状に構成されているから、ランプに蓄熱シートと蓄熱金属板とを当てがい易く、また、締結ベルトの締め付け作業も行い易い。
【００５２】
請求項３に記載されたランプユニットによれば、ガスを封入した円筒形状のガス封入管と、このガス封入管の外周表面に設けられていて互いに対向した状態でガス封入管の長手方向に延びる一対の電極とを有するランプ（図１８に示したような外面電極型のランプ）を備えているので、大きな発光光量が得られる。
【００５３】
このような外面電極型のランプは、その外周面に電極が露出しているから、蓄熱手段を設けることは前述した従来技術によっては困難であった。任意の蓄熱部材を設けると電極が短絡してしまうおそれがあるからである。
【００５４】
これに対し、請求項３に記載されたランプユニットによれば、次のような作用効果が得られる。
【００５５】
請求項３記載のランプユニットによれば、ランプを包囲する電気絶縁性の被覆管が設けられており、この被覆管の外周表面に接触して蓄熱手段が設けられている構成であるから、電極を短絡させることなく適宜の良好な蓄熱手段を設けることができる。しかも、ランプと被覆管との間の空間も蓄熱手段としての役割を果たす。
【００５６】
したがって、請求項３記載のランプユニットによれば、外面電極型のランプに関して、良好に光量変動率δ１及び光量変動率差δ２の両方を小さくすることができる。
【００６８】
請求項３記載のランプユニットによれば、ガスを封入した円筒形状のガス封入管と、このガス封入管の外周表面に設けられていて互いに対向した状態でガス封入管の長手方向に延びる一対の電極とを有するランプと、このランプを包囲する電気絶縁性の被覆管と、この被覆管の外周表面に接触して設けられる蓄熱部材としてのシリコーンゴム製の蓄熱シートと、この蓄熱シートの外周表面に接触して設けられる、蓄熱部材としての断面Ｃ字形状の蓄熱金属板とを備え、前記蓄熱シートおよび蓄熱金属板は、締結ベルトによって前記被覆管に取り付けられている構成であるから、このようなランプユニットを容易に作成することができる。
【００６９】
すなわち、被覆管に蓄熱シートと蓄熱金属板とを当てがい、締結ベルトで締め付けるだけで作成することができる。しかも、蓄熱金属板は断面Ｃ字形状に構成されているから、被覆管に蓄熱シートと蓄熱金属板とを当てがい易く、また、締結ベルトの締め付け作業も行ない易い。
【００７１】
請求項４記載のランプユニットによれば、請求項２または３に記載のランプユニットにおいて、前記蓄熱金属板には、締結ベルトが巻き付けられる部位に部分的に切欠部が形成されているので、蓄熱シートがより確実に密着固定されると同時に、組立後の締結ベルトのズレが防止される。
【００７２】
請求項５記載のランプユニットによれば、請求項１から４のうちのいずれか１つに記載のランプユニットにおいて、前記蓄熱手段または蓄熱部材はランプの長手方向ほぼ全域にわたって設けられているから、ランプの長手方向全域にわたって良好な蓄熱効果が得られる。
【００７３】
しかも、蓄熱手段または蓄熱部材は断面Ｃ字形に設けられており、これによってランプの照射範囲が規定されている構成であるから、次のような作用効果が得られる。
【００７４】
すなわち、画像読み取り装置に用いられる従来の蛍光ランプは、その内面に塗布する蛍光体の、その塗布範囲を規定することによってランプによる照射範囲を規定していた。
【００７５】
これに対し、この請求項５記載のランプユニットによれば、蓄熱手段または蓄熱部材はランプの長手方向ほぼ全域にわたって断面Ｃ字形に設けられており、これによってランプの照射範囲が規定されるから、ランプが蛍光ランプである場合には、その蛍光体の塗布範囲を必ずしも厳格に管理する必要がなくなり、したがって、コストダウンを図ることができる。
【００７６】
また、ランプが蛍光管でない場合には、蛍光体を塗布することなく照射範囲を規定することができるから、一層のコストダウンを図ることができる。
【００８２】
請求項６記載のランプユニットは、請求項１から５のうちのいずれか１つに記載のランプユニットにおいて、そのランプの少なくとも一端部を保持するランプホルダを備えており、そのランプホルダには、前記蓄熱手段または蓄熱部材の取付位置を決める位置決め部が設けられている構成であるから、蓄熱手段または蓄熱部材を適切な位置に容易に取り付けることができる。
【００８３】
特に、請求項５記載のランプユニットにおいては、照射範囲を容易に規定することができるから、より有効である。
【００８６】
請求項７記載の画像読み取り装置によれば、原稿を照射するための光を発生する光源と、原稿からの光像を受け取って電気信号として出力するイメージセンサとを有する画像読み取り装置において、光源が、上記請求項１から６のうちいずれか１つに記載のランプユニットで構成されているので、ランプの光量変動率δ１及び光量変動率差δ２が低減され、良好な読み取り画像が得られる。
【００９０】
【発明の実施の形態】
図１は、本発明に係るランプユニットを画像読み取り装置の光源として用いた場合のその画像読み取り装置の主要部の実施形態を示す図である。
【００９１】
同図に示すように、原稿７を載せた原稿台ガラス８の下方位置にキャリッジ９が配設されている。このキャリッジ９は、ワイヤ、ベルトなどといった搬送装置１１によって駆動されて、矢印Ｃ及び矢印Ｃ’で示すように原稿台ガラス８に対して平行に往復移動する。原稿７に関しては、図の左右方向が原稿の長手方向であり、紙面に対して垂直の方向が原稿の幅方向である。キャリッジ９は、矢印Ｃ方向（図の右方向）へ移動するときに、原稿７をその長さ方向すなわち副走査方向に読み取る。
【００９２】
キャリッジ９の内部には、遮光板１２によって囲まれたランプユニット６と、第１ミラー１３と、第２ミラー１４と、画像読み取りセンサとしてのＣＣＤイメージセンサ１５と、そして原稿７の光像をＣＣＤイメージセンサ１５へ集束するレンズ１６といった各種の光学要素が配設されている。
【００９３】
ランプユニット６は、図２に示すように、原稿７の幅方向に延びており、その有効発光部の幅は原稿７の幅よりも広く設定されている。
【００９４】
ＣＣＤイメージセンサ１５は、周知の通り、直線状に配列された複数個の光電検出素子、例えばフォトダイオードの出力をＣＣＤ（Charge Coupled Device ：電荷結合素子）を用いて時系列信号として取り出して画像信号を作り出すイメージセンサであり、本実施形態では、原稿７の幅方向すなわち図１の紙面に対して垂直方向に光電検出素子が並べられている。
【００９５】
図３及び図４はランプユニットの第１の実施形態を示す図であり、図３は部分省略斜視図、図４は断面図である。
【００９６】
これらの図に示すように、このランプユニット６は、例えばキセノンガスＸｅを封入した円筒形状のガス封入管１と、そのガス封入管１の外周表面に接着等により固着された一対の電極２ａ及び２ｂを有する外面電極型のランプ３と、このランプ３を包囲する被覆管４と、この被覆管４の外周表面に接触して設けられた蓄熱手段２０とを有している。
【００９７】
ガス封入管１は、例えば、透明のガラス管によって形成されていて、その内部表面には例えば白色光を発光する蛍光物質１ａが塗布されている。
【００９８】
電極２ａ，２ｂは、例えば図３に示すように、アルミニウムのテープをガス封入管１の外周表面の長手方向のほぼ全域にわたって貼り付けることによって形成されている。ランプ３を発光させる際にはこれらの電極２ａ，２ｂ間に高電圧、例えば３ＫＶ程度が印加される。
【００９９】
被覆管４は、電気絶縁性を有する合成樹脂製で円筒形状に構成されている。被覆管４とガス封入管１との間の空間Ｓには、電気絶縁用流体としてのシリコーンオイルが充填されている。なお、シリコーンオイルは、ランプ３の表面全面に塗布するだけでもかまわない。
【０１００】
ランプユニット６は、所定角度の照射範囲Ｈにおいて長手方向の全域にわたって光、本実施形態の場合は白色光を外部へ放出する。ランプユニット６は、図１において、その照射範囲（すなわち発光部）Ｈが原稿７に対向するようにキャリッジ９内に設置される。
【０１０１】
蓄熱手段２０は、被覆管４の外周表面に接触して設けられたシリコーンゴム１７と、このシリコーンゴム１７の外周面に接触して設けられた金属部材１８とで構成されており、被覆管４の外周表面のうちの発光部Ｈの角度範囲以外の部分に設けられている。蓄熱部材としての役割もなすシリコーンゴム１７の断面形状は半円形状であり、その長さは図２に示すようにランプユニット６の被覆管４の長さとほぼ同じに設定されている。金属部材１８は、蓄熱用鋼板１８で構成されており、シリコーンゴム１７の外周面にはめ込まれている。この蓄熱用鋼板１８の断面形状も半円形状であり、その長さは図２に示すようにシリコーンゴム１７とほぼ同じに設定されている。
【０１０２】
蓄熱用鋼板１８は、鉄を主成分とする鋼板、例えば亜鉛メッキ鋼板であって、熱容量が大きくて熱を蓄積する性質すなわち蓄熱性に優れている。シリコーンゴム１７は非常に柔軟な物質であり、さらにその表面は活性を備えていてあらゆる物質にくい込む性質を有している。よって、シリコーンゴム１７は、特別な接着剤を用いなくても被覆管４の外周表面及び蓄熱用鋼板１８の内周表面の両方にまんべんなく均一に密着状態で接触する。換言すれば、蓄熱用鋼板１８はシリコーンゴム１７を介して被覆管４の外周表面に密着している。
【０１０３】
図１において、ＣＣＤイメージセンサ１５の出力信号は、画像処理回路１９へ送られる。この画像処理回路１９は、図５に示すように、ＣＣＤイメージセンサ１５からのＲＧＢ各色出力信号に含まれるノイズ成分を低減するためのＣＤＳ（Correlated double sampling）回路２１と、ＲＧＢ各色信号のうちの１つを選択して出力するマルチプレクサ２２と、そして、マルチプレクサ２２から出力されるアナログ信号をデジタル信号に変換するＡ／Ｄ変換器２３とを有している。また、画像処理回路１９は、ＣＰＵ（ Central Processing Unit：中央処理装置）２４を備えており、そのＣＰＵ２４から延びるシステムバスには、画像補正回路２５、色補正回路２６、拡大縮小回路２７、２値化回路２８、そして光源制御回路２９の各回路が接続されている。各回路に付属するＤＲＡＭ（Dynamic Random Access Memory ）及びＳＲＡＭ（Static Random Access Memory）は、各回路において所定の処理を行う際にテンポラリメモリ、作業用ファイルなどとして用いられる。ＲＯＭ（Read Only Memory）３１は、画像読み取り装置の処理順を規定するプログラムなどを格納している。
【０１０４】
画像補正回路２５は、シェーディング補正処理及びガンマ補正処理を行う。シェーディング補正というのは、周知の通り、ランプの長手方向の光量分布を均一にするための補正である。具体的には、ランプが持っている固有の長手方向の初期光量分布を記憶しておいて、Ａ／Ｄ変換器２３から出力される画像信号をその長手方向の各位置に応じて修正する。更に、この画像補正回路２５において、ランプを消灯して暗黒時のＣＣＤ出力をサンプリングすることにより、ＣＣＤの暗時出力の不均一性を除去することが可能となる。
【０１０５】
ガンマ補正というのは、これも周知の通り、画像読み取り装置などが持っている固有のガンマ特性、すなわち出力階調値が入力階調値に対して非直線的になるという特性を修正するために行われる補正である。具体的には、Ａ／Ｄ変換器２３から出力される画像信号の階調値をその階調値ごとに適宜の係数を乗ずるなどして修正する。
【０１０６】
色補正回路２６は、画像読み取り装置から出力されるＲＧＢ各色データが後段に接続される機器の出力特性と合致するように、そのＲＧＢ各色データを適宜に補正する。
【０１０７】
拡大縮小回路２７は、原稿７から読み取った画像の大きさを、オペレータの希望に応じて拡大又は縮小する。
【０１０８】
２値化回路２８は、周知の誤差拡散法やその他の周知の２値化手法に基づいて、Ａ／Ｄ変換器２３から出力された、例えば２５６階調値の画像データを後段の機器の出力特性に合うようにＯＮ／ＯＦＦの２階調値の画像データに変換する。
【０１０９】
以上のようにして作成された２階調値の画像データは、ＳＣＳＩインターフェース用のコマンド体系に変形された後、後段のホストコンピュータ又はプリンタの画像出力部へ送られる。また、画像データ以外にホストコンピュータ又はプリンタに対して送られる各種信号は、双方向パラレルインターフェース用のコマンド体系に変形された後、後段のホストコンピュータ又はプリンタの動作制御部へ送られる。
【０１１０】
光源制御回路２９は、光源すなわちランプ３に関する各種の制御を行う。例えば、ランプ３の電極２ａ及び２ｂへの電力供給をＯＮ／ＯＦＦしたり、ランプ３からの光強度が副走査方向（すなわち、図１におけるキャリッジ９の矢印Ｃで示す移動方向）に関して均一になるように制御する。この副走査方向に関する光強度の制御は、例えば、ランプ３が副走査方向へ移動するときの各位置における光強度を原稿台ガラス８の適所に設けた光センサ（または後述する光センサ６６）によって採取し、その採取結果に基づいてＣＣＤイメージセンサ１５用の増幅回路の増幅率を調節する、あるいは、ランプ３への供給電力を制御することによって実行することができる。
【０１１１】
この実施形態の画像読み取り装置は以上のように構成されているので、図１において原稿７に対する読み取り処理が開始されると、図３及び図４において、ランプユニット６の電極２ａ及び２ｂに電圧が印加され、電界放出に基づいて各電極から電子が放出される。本実施形態では、各電極２ａ及び２ｂに交流電圧を印加するようにしたので、各電極は交互に陰極として作用して電子を放出するが、直流電源を用いることによりいずれか一方を常に陰極として用いることもできる。
【０１１２】
ランプ３における光の発生原理は従来より周知のことであるので、詳しい説明は省略するが、簡単に触れておけば、キセノンガスＸｅの蒸気の中を電子が流れるときに放電が生じ、この放電によって生じた電磁線が蛍光物質１ａに当たって管全体を白色光で光らせる。この光は発光部Ｈからランプ３の外部（すなわちランプユニット６の外部）へ取り出され、そして図１において、この取り出された白色光によって原稿７が照明される。この照明時、原稿７からの反射光、すなわち原稿７の光像がミラー１３及び１４で反射し、さらにレンズ１６によってＣＣＤイメージセンサ１５へ集束する。ＣＣＤイメージセンサ１５は、受け取った光像をＣＣＤの自己走査によって時系列的に読み取る。これが原稿７の幅方向に沿った主走査方向の読み取りである。ランプユニット６から放出された光はキャリッジ９の矢印Ｃ方向への移動に従って原稿７の長さ方向へ移動し、各位置における原稿７の光像をＣＣＤイメージセンサ１５に結像する。これにより原稿７が副走査方向に読み取られる。
【０１１３】
以上の主走査方向及び副走査方向の各方向についての読み取りにより、原稿７の全面がＣＣＤイメージセンサ１５によって読み取られる。１枚の原稿７に対する読み取り処理は、通常、３分程度で終了する。読み取られた画像データは、図５に示す画像処理回路１９によって、シェーディング補正処理、ガンマ補正処理、色補正処理、拡大縮小処理及び２値化処理の各処理を受けた後、ホストコンピュータなどへ送られる。
【０１１４】
この実施の形態によれば、次のような作用効果が得られる。
【０１１５】
（ｉ）ランプ３を包囲する電気絶縁性の被覆管４が設けられており、この被覆管４の外周表面に接触して蓄熱手段２０が設けられている構成であるから、電極２ａ，２ｂを短絡させることなく適宜の良好な蓄熱手段を設けることができる。
【０１１６】
したがって、このランプユニット６によれば、外面電極型のランプ３に関して、良好に光量変動率δ１及び光量変動率差δ２の両方を小さくすることができる。
【０１１７】
光量変動率δ１及び光量変動率差δ２の両方が小さくなるので、原稿７の読み始めから読み終わりまでの全域を均一な光量の光によって読み取ることができ、読み取り後に再生された画像の濃度が均一になって、原稿７の画像に忠実な画像を再現できる。
【０１１８】
（ｉｉ）ランプ３と金属部材１８との間には、ゴム部材であるシリコーンゴム１７が介在しているので、電極２ａ，２ｂと金属部材１８との間の放電が防止される。外面電極型のランプ３は、電極２ａ，２ｂ間に高電圧が印加されるので、何等の方策も講ずることなく蓄熱手段を設けると、電極と蓄熱用金属部材との間で放電が生ずる危険性が高い。
【０１１９】
これに対し、この実施の形態では、上述したようにして放電が防止されるので、広範囲にわたって蓄熱手段を設けることができる。
【０１２０】
（ｉｉｉ）蓄熱手段２０は、被覆管４の外周表面に接触して設けられたシリコーンゴム１７と、このシリコーンゴムの外周面に接触して設けられた蓄熱用鋼板１８とを備えているので、ランプ３の熱は被覆管４を介し、シリコーンゴム１７を通じて良好に（効率的に）蓄熱用鋼板１８に伝わり、これに蓄熱される。しかも、ランプ３と被覆管４との間の空間Ｓ、およびシリコーンゴム１７自体もある程度の蓄熱性を有しているのでランプ３の熱は上記空間Ｓおよびシリコーンゴム１７にも蓄熱されることとなる。
【０１２１】
したがって、点灯後のランプ３の温度上昇率をより効果的に低減し、光量変動率δ１および光量変動率差δ２を極めて良好に小さくすることができる。
【０１２２】
これについて、図１２、図１３、および図１４を参照して説明する。
【０１２３】
図１２は、光源の光量変動率及び光量変動率差の経時的な変化の様子を３次元的に示したグラフであり、同図に示すグラフでは、前述したようにＸ軸に光量変動率をとり、Ｙ軸に時間をとり、そしてＺ軸にランプ（５６）の軸線方向すなわち主走査方向をとっている。
【０１２４】
図１３は、外面電極型のランプに蓄熱手段（または蓄熱部材）を設けたものと、同じランプに蓄熱手段（または蓄熱部材）を設けないものとを用意し、それらのランプに対して３分間の点灯と所定時間の消灯を繰り返した場合の、各ランプの管壁温度の変化の様子を示したグラフである。点灯時間を３分間としたのは、画像読み取り装置によって１枚の原稿を読み取る場合には、上述したように通常３分間程度の点灯時間が必要となるからである。
【０１２５】
図１４は、外面電極型ランプに蓄熱手段（または蓄熱部材）を設けた場合のランプ点灯から３分後の光量変動率（曲線Ｆ）と、同じランプに蓄熱手段（または蓄熱部材）を設けない場合のランプ点灯から３分後の光量変動率（曲線Ｅ）とを示したグラフである。なお、これらのグラフは、いずれも本願発明者による実験で得られたものである。
【０１２６】
この実施形態のランプユニット６は、被覆管４のまわりにシリコーンゴム１７及び蓄熱用鋼板１８をはめ込んで面接触させたので、上述したように、ガス封入管１内に発生する熱がそれらのシリコーンゴム１７及び蓄熱用鋼板１８に効率的に伝達され、さらにそれらの内部に蓄熱される。
【０１２７】
この結果、図１３に示すように、蓄熱用鋼板１８などを設けない従来のランプの場合（Ｅ）に比べて、読み取りに必要となる時間、例えば３分以内におけるガス封入管１の管壁温度の最高温度が低くなるとともに、その最低温度が高くなる（蓄熱部材を設けたランプ（曲線Ｆ）の３分間の点灯後の管壁温度の変化量Ｄ２は、蓄熱部材を設けないランプ（曲線Ｅ）の３分間の点灯後の管壁温度の変化量Ｄ１に比べて、大幅に小さくなる）。
【０１２８】
つまり、蓄熱用鋼板１８などを設けることにより、ガス封入管１（すなわちランプ３）の管壁温度の変化量が小さくなる。
【０１２９】
この結果、図１４に示すように、読み取りに必要となる時間（約３分）内における光量変動率を１／２程度に減少できる。
【０１３０】
図１２から明らかなように、光量変動率δ１が減少するということは、必然的に光量変動率差δ２も減少するということであり、よって、ランプユニット６の長手方向の光量分布は、図１２のＢ１からＢ２に示すように光量変動率δ１及び光量変動率差δ２の両方が減少するように変化する。
【０１３１】
こうして光量変動率δ１及び光量変動率差δ２の両方が小さくなれば、原稿７の読み始めから読み終わりまでの全域を均一な光量の光によって読み取ることができ、読み取り後に再生された画像の濃度が均一になって、原稿７の画像に忠実な画像を再現できる。
【０１３２】
以上をまとめると、本実施形態において、シリコーンゴム１７と蓄熱用鋼板１８とによって構成された蓄熱手段２０を用いることにより、
（１）光量変動率δ１を小さくすることが可能となり、さらに
（２）光量変動率δ１のランプ長さ方向における差を小さくすることが可能となる。
【０１３３】
ここで、前述した通り、光量変動の一因は、ランプ管壁の温度上昇であるので、原稿の読み取り終了後はランプを消灯することが有効である。このようにランプを消灯することにより、以下の効果が得られる。
【０１３４】
（ａ）ランプ管壁の温度上昇を抑えることができ、
（ｂ）蓄熱手段（または蓄熱部材）の熱飽和を避けることができ、
（ｃ）消費電力を低減でき、そして
（ｄ）前述したシェーディング補正における「暗黒時出力」のサンプリング作業を行う際に、ランプ消灯作業や、それに伴う光量変動補正の作業が不要となる。
【０１３５】
＜ランプユニットの変形実施形態＞
（第２の実施形態）
図６は、本発明に係るランプユニットの第２の実施形態を示す断面図である。同図において、図３、図４に示したものと同じ部材には同じ符号を付してある。
【０１３６】
このランプユニット３６は、蓄熱手段として蓄熱用鋼板３８を用い、この蓄熱用鋼板３８を、被覆管４の外周表面に設けるのではなくて、一対の電極２ａ，２ｂと接触しない位置において、ガス封入管１の外周表面に接着してある。蓄熱用鋼板３８は、ガス封入管１に直接接着してもよいし、シリコーンゴムを介して接着してもよい。
【０１３７】
図４に示した第１の実施形態では、ガス封入管１を被覆管４で被覆して発光管を形成し、その後に、蓄熱手段としてのシリコーンゴム１７及び蓄熱用鋼板１８をその発光管の外周表面にはめ込んだ。これに対し、図６に示す本実施形態では、被覆管４でガス封入管１を被覆した時点で、蓄熱用鋼板３８入りのランプユニットが完成する。
【０１３８】
（第３の実施形態）
図７は、本発明に係るランプユニットの第３の実施形態を示す断面図である。同図において、図３、図４に示したものと同じ部材には同じ符号を付してある。
【０１３９】
このランプユニット４６は、蓄熱手段として蓄熱用鋼板３８を用い、この蓄熱用鋼板３８を、被覆管４の外周表面に固着してある。そして、その固着された蓄熱用鋼板３８のまわりをさらに外装管４１で包囲し、蓄熱用鋼板３８を確実に保持している。外装管４１は透明な合成樹脂またはガラスによって構成する。
【０１４０】
このようなランプユニット４６によれば、被覆管４と外装管４１との空間Ｓ１および、外装管４１自体も蓄熱手段として作用する。
【０１４１】
なお、蓄熱用鋼板３８に代えて、シリコーンゴム、あるいは蓄熱用鋼板とシリコーンゴムの積層体を用いてもよい。
【０１４２】
（第４の実施形態）
図８は本発明に係るランプユニットの第４の実施形態を示す斜視図およびその部分拡大図を同時に示した図、図９は分解斜視図、図１０は断面図である。
【０１４３】
これらの図（主として図９）において、６０は発光体であり、ランプ３あるいはランプ３を被覆管４で包囲したものを用いることができる。
【０１４４】
６１，６２はホルダであり、発光体６０（すなわちランプ３等）の両端部を保持している。
【０１４５】
６３は蓄熱部材としてのシリコーンゴム製の蓄熱シートであり、発光体６０の外周表面に接触して設けられる。この蓄熱シート６３は、発光体６０への取付性および密着性を向上させるために、予め断面Ｃ字形に形成されている。
【０１４６】
６４は蓄熱部材としての断面Ｃ字形状の蓄熱金属板であり、蓄熱シート６３の外周表面に接触して設けられる。蓄熱金属板６４は、前述した蓄熱用鋼板１８と同じ材料で構成することができる。
【０１４７】
これら、蓄熱シート６３および蓄熱金属板６４は、発光体６０とほぼ同じ長さ、より正確には、ホルダ６１，６２によって保持された発光体６０の露出部分の長さよりも僅かに短い（１〜３ｍｍ程度短い）長さを有している。
【０１４８】
また、蓄熱シート６３および蓄熱金属板６４には、光量測定用の穴６３ｃ，６４ｃが設けられている。
【０１４９】
６５，６５は合成樹脂製の締結ベルトであり、これら締結ベルト６５，６５によって、蓄熱シート６３および蓄熱金属板６４が発光体６０に取り付けられている。
【０１５０】
蓄熱金属板６４には、締結ベルト６５が巻き付けられる部位に、部分的に切欠部６４ａ，６４ａが形成されている。
【０１５１】
一対のホルダのうち一方のホルダ６２の内側面には、蓄熱シート６３および蓄熱金属板６４の取付位置を決めるための突起状の位置決め部６２ｂが一体的に設けられているとともに、蓄熱シート６３および蓄熱金属板６４の一側端には、上記位置決め部６２ｂと嵌まり合う位置決め用の凹部６３ｂ，６４ｂが形成されている。
【０１５２】
また、一対のホルダ６１，６２には、このランプユニットを、図１に示した画像読み取り装置における遮光板１２内に取り付ける際の、位置決め用のピン６１ａ，６２ａが設けられている。
【０１５３】
このようなランプユニットは、蓄熱シート６３と蓄熱金属板６４とを、その凹部６３ｂ，６４ｂがホルダ６２の位置決め部６２ｂと嵌まり合うようにして発光体６０に当てがい、締結ベルト６５，６５で締め付けるだけで容易に組み立てることができる。この際、蓄熱シート６３および蓄熱金属板６４は断面Ｃ字形状に形成されているから、発光体６０に当てがい易く、また、締結ベルト６５の締め付け作業も行い易い。
【０１５４】
組み立てられた状態では、図１０に示すように、蓄熱シート６３の側縁部６３ｄ，６３ｄによって発光体６０の照射範囲Ｈが規定されている。
【０１５５】
このようなランプユニットによれば、次のような作用効果が得られる。
【０１５６】
（ａ）蓄熱金属板６４には、締結ベルト６５が巻き付けられる部位に部分的に切欠部６４ａが形成されているので、蓄熱シート６３がより確実に密着固定されると同時に、組立後の締結ベルト６５のズレが防止される。
【０１５７】
（ｂ）蓄熱シート６３および蓄熱金属板６４が、発光体６０長手方向ほぼ全域にわたって設けられているから、発光体６０の長手方向全域にわたって良好な蓄熱効果が得られる。
【０１５８】
（ｃ）蓄熱シート６３によって照射範囲Ｈが規定されている構成であるから、発光体６０を構成するランプ（発光体６０を直接構成するランプまたは被覆管４に内装されているランプ）が蛍光ランプである場合には、その蛍光体の塗布範囲を必ずしも厳格に管理する必要がなくなり、したがって、コストダウンを図ることができる。すなわち、蛍光体は、本来得ようとしている照射範囲Ｈよりも多少広い照射範囲が得られるように（狭い塗布範囲に）塗布しておけばよい。
【０１５９】
また、ランプが蛍光管でない場合には、蛍光体を塗布することなく照射範囲Ｈを規定することができるから、一層のコストダウンを図ることができる。
【０１６０】
なお、この効果は、蓄熱金属板６４で照射範囲を規制する構成とすることによっても得られる。
【０１６１】
（ｄ）蓄熱シート６３および蓄熱金属板６４には光量測定用の穴６３ｃ，６４ｃが設けられているので、この穴に対向した位置において光センサ６６（図１参照）をランプに近づけて配置することができ、したがって、精度のよい光量測定を行なうことができる。
【０１６２】
（ｅ）ホルダ６２には、蓄熱シート６３および蓄熱金属板６４の取付位置を決める位置決め部６２ｂが設けられているから、蓄熱シート６３および蓄熱金属板６４を適切な位置に容易に取り付けることができると同時に、照射範囲Ｈ、および穴６３ｃ，６４ｃの位置を容易に規定することができる。
【０１６３】
（ｆ）ホルダ６１，６２には、画像読み取り装置に対するランプユニットの取付位置を決めるピン６１ａ，６２ａが設けられているので、正確かつ容易にランプユニットを画像読み取り装置に取り付けることができる。
【０１６４】
＜その他の実施形態＞
以上、好ましい実施の形態を挙げて説明したが、本発明はそれらの実施の形態に限定されるものではなく、特許請求の範囲に記載した技術的範囲内で種々に改変できる。
【０１６５】
例えば、
（１）以上の説明では、外面電極型陰極管（図１８）に蓄熱手段（または蓄熱部材、以下同じ）を設ける場合を例示した。既に述べたように、外面電極型陰極管（図１８）は両端電極型熱陰極管（図１６）や両端電極型冷陰極管（図１７）に比べて発光光量が非常に多いものの経時的な光量変動が大きい。従って、この外面電極型陰極管（図１８）に対して蓄熱手段を設ければ、光量変動率δ１及び光量変動率差δ２を小さくして原稿を読み取る際の原稿に対する露光量を均一にするという効果を最も顕著に得ることができる。しかしながら、請求項１または２に記載されているように両端電極型熱陰極管（図１６）または両端電極型冷陰極管（図１７）に対しても蓄熱手段を設けることができる。
【０１６６】
（２）図１に示した実施形態では、原稿７で反射した光をＣＣＤイメージセンサ１５で読み取るようにしたが、これに代えて、原稿７を透過した光をＣＣＤイメージセンサ１５によって読み取るようにすることもできる。
【０１６７】
（３）上記の実施の形態では、ランプユニット６によって白色光を放射する場合を例示した。しかしながら、発光色は特定の色に限定されない。
【０１６８】
（４）図３、図４に示した蓄熱手段は、シリコーンゴム１７および蓄熱用金属鋼板１８で構成されていたが、シリコーンゴム１７または蓄熱用金属鋼板１８のみで構成することもできる。
【０１６９】
（５）図３、図４に示したランプユニットでは蓄熱手段２０を被覆管４の外周面に設けたが、被覆管４を設けることなく、ランプ３の外周面に設けることもできる。シリコーンゴムが電気絶縁性を有しているからである。
【０１７１】
（７）蓄熱手段は、上記のものの他、熱容量が大きい物質、例えば、鉄を主成分とする鋼板や、その他の一般的な金属材料や、ゴムなどの非金属材料や、あるいは、樹脂性部材などによって構成することができる。
【０１７２】
（８）蓄熱手段をなすシリコーンゴムは、これに代えて適宜のゴム部材を用いることもできる。このような構成としても、（ａ）ゴム部材自体によって蓄熱作用を発揮でき、（ｂ）蓄熱手段としての金属部材と電極との間、または電極間の電気的な絶縁を確保でき、さらに（ｃ）ランプと金属部材との間の密着性を高めることができる。
【０１７３】
（９）図９に示した蓄熱シート６３は予め断面Ｃ字形状に形成されていたが、シリコーンゴムシートは十分な柔軟性を有しているので、必ずしも断面Ｃ字形状に形成しておく必要はない。
【０１７４】
（１０）図９に示したランプユニットでは、一対のホルダ６１，６２を備えていたが、一方のホルダ６２のみを備えた構成とすることもできる。
【０１７５】
（１１）ランプに封入されるガスは特定のガスに限定されない。但し、画像読み取り装置のランプとして用いる場合には、キセノンガスやネオンガスなどのように、環境温度が変化しても光量の変化が少ない性質を有する希ガスを用いることが望ましい。
【０１７６】
【実施例】
以下に、本発明者によって行われた一実験例について説明する。
【０１７７】
１．実験条件
図３及び図４に示した外面電極型のランプ３を用意した。
【０１７８】
このランプに、図３および図４に示すようにシリコーンゴム１７および蓄熱用鋼板１８を装着してランプユニットとし、これをサンプルＡとした。ただし、この実験では、シリコーンゴム１７にアルミナを混入した。
【０１７９】
このサンプルＡのランプユニットを点灯し、その点灯から３分後のランプユニットの長さ方向（すなわち主走査方向）の各位置の光量変動率を測定した。
【０１８０】
その後、このサンプルＡのランプユニットからシリコーンゴム１７および蓄熱用鋼板１８を取り外してランプのみとし、これをサンプルＢとした。
【０１８１】
このサンプルＢのランプを点灯し、その点灯から３分後の、上と同じ各位置の光量変動率を測定した。
【０１８２】
ランプ自体の製造上のバラツキを考慮して、さらにもう１本のランプを用意し、上と同様の実験を行なった。
【０１８３】
２つのサンプルＡの平均、２つのサンプルＢの平均をとって、実験結果とした。
【０１８４】
２．実験結果
以上の測定の結果、図１５に示すグラフのような結果を得た。
【０１８５】
このグラフでは、横軸にランプユニットの長さ方向（すなわち主走査方向）の位置を示している。破線Ｐはランプユニットの長手方向の中央部を示している。このグラフの縦軸は、点灯から３分後の光量変動率を示しており、上から下へ向かうほど光量変動率が大きいことを示している。
【０１８６】
このグラフにおいて、Ｂ（蓄熱無し）の曲線は、蓄熱手段すなわちシリコーンゴム及び蓄熱用鋼板を装着しない状態のランプ（サンプルＢ）の光量変動率を示しており、Ａ（蓄熱有り）の線は、同じランプに蓄熱手段を装着した状態のランプユニット（サンプルＡ）の光量変動率を示している。
【０１８７】
図１５から明らかなように、蓄熱手段を設けた場合が、それを設けない場合に比べて、光量変動率が約半分程度になっていることがわかる。
【０１８８】
また、光量変動率差はほぼ０になっていることが分かる。すなわち主走査方向の光量変動率を見ると、上記蓄熱手段を用いたサンプルＡの場合には、ランプの長さ方向（すなわち、主走査方向）の光量変動率がほぼ均一となっていることが分かる。この結果と図１２に示した実験結果との対比から、シリコーンゴムにアルミナを混入することが極めて有効であることが分かる。
【０１８９】
この特徴は、ランプの光量変動を電気的に補正する際に極めて好ましい特性である。
【０１９０】
より詳しく説明すれば、副走査方向に設置した白基準をモニターすることにより、副走査方向においてもシェーディング補正を行ない、このシェーディング補正によって副走査方向のランプの光量変動を電気的に補正しようとする場合、上記「蓄熱手段」を用いることにより、
（１）ランプの光量変動率を小さくし、さらに
（２）光量変動率をランプ長さ方向において均一にする
という２点を予め実現しておけば、その後に行われる上記の副走査方向に関する電気的補正を極めて正確に行うことができるということである。
【０１９１】
【発明の効果】
この発明のいずれのランプユニットによっても、ランプ点灯後の経時的な光量変動率及び光量変動率差の両方を大幅に減少できる。
【０１９２】
従って、このランプユニットを用いた画像読み取り装置によれば、原稿の読み始めから読み終わりの間での光量の変動が大きく減少し、よって、原稿の画像を長さ方向の全面にわたって忠実に再現できる。
【０１９３】
【図面の簡単な説明】
【図１】本発明に係るランプユニット及び画像読み取り装置の一実施形態を示す正面断面図である。
【図２】図１に示したランプユニットの全体を示す斜視図である。
【図３】図１に示したランプユニットを径方向に破断して示した斜視図である。
【図４】図１に示したランプユニットの断面図である。
【図５】図１に示した画像読み取り装置の画像処理回路の一具体例を示すブロック図である。
【図６】本発明に係るランプユニットの第２の実施形態を示す断面図である。
【図７】本発明に係るランプユニットの第３の実施形態を示す断面図である。
【図８】本発明に係るランプユニットの第４の実施形態を示す斜視図およびその部分拡大図を同時に示した図である。
【図９】同じく分解斜視図である。
【図１０】同じく断面図である。
【図１１】水銀（Ｈｇ）ガスを用いたランプ及びキセノン（Ｘｅ）ガスを用いたランプの発光光量特性を示すグラフである。
【図１２】光源の光量変動率及び光量変動率差の経時的な変化の様子を３次元的に示すグラフである。
【図１３】蓄熱部材を設けたランプと蓄熱部材を設けないランプのそれぞれの管壁温度の経時的な変化の様子を示すグラフである。
【図１４】蓄熱部材を設けたランプと蓄熱部材を設けないランプのそれぞれの光量変動率の経時的な変化の様子を示すグラフである。
【図１５】本発明に係るランプユニットに関する実験結果を示すグラフである。
【図１６】両端電極型の熱陰極管を示す正面断面図である。
【図１７】両端電極型の冷陰極管を示す正面断面図である。
【図１８】外面電極型の冷陰極管を示す正面断面図である。
【図１９】従来技術の説明図である。
【図２０】従来技術の説明図である。
【符号の説明】
１      ガス封入管
１ａ    蛍光物資
２ａ，２ｂ    電極
３      ランプ
４      被覆管
６      ランプユニット
７      原稿
８      原稿台ガラス
９      キャリッジ
１１      キャリッジ搬送装置
１２      遮光板
１３      第１ミラー
１４      第２ミラー
１５      ＣＣＤイメージセンサ
１６      レンズ
１７      シリコーンゴム（蓄熱部材）
１８      蓄熱用鋼板（蓄熱部材）
３６      ランプユニット
３８      蓄熱用鋼板（蓄熱部材）
４１      外装管
４６      ランプユニット
６１，６２  ホルダ
６２ｂ      位置決め部
６３      蓄熱シート
６３ｃ    穴
６４      蓄熱金属板
６４ａ    切欠部
６４ｃ    穴
６５      締結ベルト
【図１】
0003803432.tif 000002
【図２】
0003803432.tif 000003
【図３】
0003803432.tif 000004
【図４】
0003803432.tif 000005
【図５】
0003803432.tif 000006
【図６】
0003803432.tif 000007
【図７】
0003803432.tif 000008
【図８】
0003803432.tif 000009
【図９】
0003803432.tif 000010
【図１０】
0003803432.tif 000011
【図１１】
0003803432.tif 000012
【図１２】
0003803432.tif 000013
【図１３】
0003803432.tif 000014
【図１４】
0003803432.tif 000015
【図１５】
0003803432.tif 000016
【図１６】
0003803432.tif 000017
【図１７】
0003803432.tif 000018
【図１８】
0003803432.tif 000019
【図１９】
0003803432.tif 000020
【図２０】
0003803432.tif 000021